(57)【要約】【課題】優れた伝送速度を奏することができる無線通信システムを提供すること。【解決手段】複数の基地局装置と、複数の基地局装置と通信する移動局装置とを具備する無線通信システムであって、移動局装置は、複数の基地局装置のうち、自移動局装置と通信中の基地局装置である第１の基地局装置との通信状態を参照して、キャリアアグリゲーションの要否を判定する要否判定部と、要否判定部がキャリアアグリゲーション要と判定したときに、通信可能な基地局装置を探索するセルサーチ部と、探索により通信可能な基地局装置を検出したときに、第１の基地局装置にキャリアアグリゲーションの要求を通知するキャリアアグリゲーション要求部とを具備することを特徴とする。【選択図】図１
2014013998.tif 000002
【特許請求の範囲】
【請求項１】
複数の基地局装置と、前記複数の基地局装置と通信する移動局装置とを具備する無線通信システムであって、
前記移動局装置は、
前記複数の基地局装置のうち、自移動局装置と通信中の基地局装置である第１の基地局装置との通信状態を参照して、キャリアアグリゲーションの要否を判定する要否判定部と、
前記要否判定部がキャリアアグリゲーション要と判定したときに、前記複数の基地局装置の中から、通信可能な基地局装置を探索するセルサーチ部と、
前記探索により通信可能な基地局装置を少なくとも１つ検出したときに、前記第１の基地局装置にキャリアアグリゲーションの要求を通知するキャリアアグリゲーション要求部と
を具備することを特徴とする無線通信システム。
【請求項２】
前記移動局装置は、前記探索により通信可能な基地局装置を検出したときに、検出した前記基地局装置に自移動局装置が接続可能か否かを判定する接続可否判定部を具備し、
前記キャリアアグリゲーション要求部が前記第１の基地局装置にキャリアアグリゲーションの要求を通知するのは、前記探索により通信可能な基地局装置を検出し、かつ、前記検出した基地局装置に自移動局装置が接続可能であると前記接続可否判定部が判定したときであること
を特徴とする請求項１に記載の無線通信システム。
【請求項３】
前記移動局装置は、前記第１の基地局装置から、キャリアアグリゲーション可能な周辺基地局に関する情報を取得する周辺基地局情報取得部を具備し、
前記セルサーチ部は、前記探索をする際に、前記周辺基地局情報取得部が取得した周辺基地局に関する情報を参照すること
を特徴とする請求項１に記載の無線通信システム。
【請求項４】
前記複数の基地局装置と通信可能に接続された基地局管理装置を具備し、
前記基地局管理装置は、前記基地局装置からの要求に応じて、該要求元の基地局装置の周辺基地局のうち、キャリアアグリゲーション可能な基地局装置を示す情報を通知する基地局情報取得部を具備し、
前記第１の基地局装置は、
前記基地局管理装置に対して要求して、自基地局装置の周辺基地局のうち、キャリアアグリゲーション可能な基地局情報を示す情報を取得する周辺基地局情報取得部と、
前記移動局装置に対して、前記周辺基地局情報取得部が取得したキャリアアグリゲーション可能な基地局情報を示す情報を提供する周辺基地局情報提供部と
を具備すること
を特徴とする請求項３に記載の無線通信システム。
【請求項５】
前記移動局装置は、前記第１の基地局装置から前記要求の応答を受信すると、前記検出した基地局装置との間で接続処理を行う移動局接続処理部を具備することを特徴とする請求項１に記載の無線通信システム。
【請求項６】
前記キャリアアグリゲーションの要求は、前記検出した基地局装置のうち、少なくとも１つを示す情報を含み、
前記第１の基地局装置は、前記キャリアアグリゲーションの要求を受信すると、該要求が含む情報が示す前記基地局装置に、前記移動局装置を示す情報を通知する移動局通知部を具備し、
前記基地局装置は、前記第１の基地局装置から前記移動局装置を示す情報を受信すると、前記移動局装置との間で接続処理を行う基地局接続処理部を具備すること
を特徴とする請求項１に記載の無線通信システム。
【請求項７】
前記移動局通知部は、前記キャリアアグリゲーションの要求に含まれる情報が複数の前記検出した基地局装置を示すときは、該複数の基地局装置各々に、前記移動局装置を示す情報を通知すること
を特徴とする請求項６に記載の無線通信システム。
【請求項８】
前記要否判定部は、自移動局装置が、前記第１の基地局装置に加えて第２の基地局装置と通信しているときは、前記第１の基地局装置との通信状態に加えて、前記第２の基地局装置との通信状態を参照して、キャリアアグリゲーションの要否を判定することを特徴とする請求項１に記載の無線通信システム。
【請求項９】
前記キャリアアグリゲーションの要求は、ホーム基地局装置へのハンドオーバーに利用されている隣接セル情報にキャリアアグリゲーション用であることを示すビットを追加したものであることを特徴とする請求項１に記載の無線通信システム。
【請求項１０】
複数の基地局装置と、前記複数の基地局装置と通信する移動局装置とを具備する無線通信システムにおける無線通信方法であって、
前記移動局装置が、前記複数の基地局装置のうち、自移動局装置と通信中の基地局装置である第１の基地局装置との通信状態を参照して、キャリアアグリゲーションの要否を判定する第１の過程と、
前記移動局装置が、前記第１の過程にてキャリアアグリゲーション要と判定したときに、前記複数の基地局装置の中から、通信可能な基地局装置を探索する第２の過程と、
前記移動局装置が、前記探索により通信可能な基地局装置を少なくとも１つ検出したときに、前記第１の基地局装置にキャリアアグリゲーションの要求を通知する第３の過程と
を有することを特徴とする無線通信方法。
【請求項１１】
複数の基地局装置と通信する移動局装置であって、
前記複数の基地局装置のうち、自移動局装置と通信中の基地局装置である第１の基地局装置との通信状態を参照して、キャリアアグリゲーションの要否を判定する要否判定部と、
前記要否判定部がキャリアアグリゲーション要と判定したときに、前記複数の基地局装置の中から、通信可能な基地局装置を探索するセルサーチ部と、
前記探索により通信可能な基地局装置を少なくとも１つ検出したときに、前記第１の基地局装置にキャリアアグリゲーションの要求を通知するキャリアアグリゲーション要求部と
を具備することを特徴とする移動局装置。
【請求項１２】
移動局装置と無線通信し、基地局管理装置と通信可能に接続される基地局装置であって、
前記基地局管理装置に対して要求して、自基地局装置の周辺基地局のうち、キャリアアグリゲーション可能な基地局情報を示す情報を取得する周辺基地局情報取得部と、
前記移動局装置に対して、前記周辺基地局情報取得部が取得したキャリアアグリゲーション可能な基地局情報を示す情報を提供する周辺基地局情報提供部と
を具備することを特徴とする基地局装置。
【発明の詳細な説明】
【技術分野】
【０００１】
本発明は、無線通信システム、無線通信方法、移動局装置および基地局装置に関する。
【背景技術】
【０００２】
３ＧＰＰ（3rd Generation Partnership Project）では、現在、ＬＴＥ−Ａ（Long Term Evolution-Advanced）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域を越え、１００ＭＨｚまでの帯域）をサポートすることが決まっている。
【０００３】
ＬＴＥ−Ａでは、ＬＴＥとの互換性を可能な限り維持する目的から、キャリアアグリゲーション（ＣＡ：Career Aggregation）技術が採用される。キャリアアグリゲーション技術は、コンポーネントキャリア（ＣＣ：Component Carrier）と呼ばれる帯域幅２０ＭＨｚまでの周波数帯を、複数利用し、まとめて通信を行うことにより最大１００ＭＨｚの帯域幅を確保し、これにより高速かつ大容量の通信を実現させる技術である（非特許文献１の５．５章  参照）。
【０００４】
ＣＡには、利用する周波数帯の使い方で、３つの方式が存在する。
（１）同周波帯域で、連続した周波数帯を利用する（Intra-band Contiguous CA）。
（２）同周波帯域で、分散した周波数帯を利用する（Intra-band Non-Contiguous CA）。
（３）異なる周波数帯域を利用する（Inter-band Non-Contiguous CA）。
【０００５】
従来から検討されているＣＡ技術は、移動局とひとつのマクロセル基地局間でのＣＡ技術についてのものであって、ＣＡ通信技術の特徴として、移動局からのＰＵＣＣＨ（物理上り制御チャネル；Physical Uplink Control Channel）送信は、ひとつのＣＣに絞って送信することである。ＰＵＣＣＨをひとつのＣＣで送信することが合意された理由は、以下の２つである。
・複数のＣＣを使ってＰＵＣＣＨを送信すると、ＰＡＰＲ（Peak to Average Power Ratio、ピーク対平均電力比）や消費電流が増加するため、移動局の電池の負荷が大きくなるため、ひとつのＣＣだけでＰＵＣＣＨを通知する。
・同周波帯域で連続した周波数帯域を利用する（上記（１））の場合、ＰＵＣＣＨの送信帯域が隣り合うためスプリアス信号が発生することがあり、どちらか一方のＣＣから送信する。
【０００６】
ＰＵＣＣＨを送信するＣＣをＰＣＣ（プライマリコンポーネントキャリア；Primary Component Carrier）とし、ＰＵＣＣＨを送信しないＣＣをＳＣＣ（セカンダリコンポーネントキャリア；Secondary Component Carrier）としている。またＳＣＣではＰＲＡＣＨ（物理ランダムアクセスチャネル；Physical Random Access Channel）の送信も行わないことが合意されている。つまり、ここでのＣＡ通信とは、複数の周波数帯域を利用して送受信するが、ＰＵＣＣＨはひとつのＣＣだけを使って送信する通信方式をいう。
【０００７】
協調通信（COMP；Coordinated Multi-Point Transmission/receptionともいう）やＭＩＭＯ（Multiple Input Multiple Output）等のマルチキャリア通信では、移動局からのＰＵＣＣＨは、複数のアンテナ各々から、すなわち複数の周波数帯各々を使って送信することができる。このため、キャリアアグリゲーションにおけるＰＣＣ／ＳＣＣのような概念はなく、２つの周波数帯域各々で、同じ信号を独立して利用することができた。
【０００８】
また、従来のマルチキャリア通信では、新たな周波数帯を追加する場合は、その追加する周波数帯を使ってＰＲＡＣＨ（物理ランダムアクセスチャネル；Physical Random Access Channel）送信を行い、同期をとって、接続処理をして、周波数帯を追加した。ＰＲＡＣＨ信号も、いずれの周波数帯域で、独立して利用することができた。
ＣＡ通信では、この接続処理も、マルチキャリア通信とは異なり、ＰＲＡＣＨ信号を利用することができるのは第１の周波数帯であるＰＣＣだけに限られている。（非特許文献１の７．５章参照）。
【先行技術文献】
【非特許文献】
【０００９】
【非特許文献１】３ＧＰＰ  ＴＳ  ３６．３００  Ｖ１１．０．０  （２０１１−１２）
【発明の概要】
【発明が解決しようとする課題】
【００１０】
しかしながら、上述のキャリアアグリゲーションにおいては、集約できるコンポーネントキャリアは、一つの基地局装置が送受信しているものに限定されているため、十分な伝送速度が得られないことが有るという問題がある。
【００１１】
本発明は、このような事情に鑑みてなされたもので、その目的は、優れた伝送速度を奏することができる無線通信システム、無線通信方法、移動局装置および基地局装置を提供することにある。
【課題を解決するための手段】
【００１２】
（１）この発明は上述した課題を解決するためになされたもので、本発明の一態様は、複数の基地局装置と、前記複数の基地局装置と通信する移動局装置とを具備する無線通信システムであって、前記移動局装置は、前記複数の基地局装置のうち、自移動局装置と通信中の基地局装置である第１の基地局装置との通信状態を参照して、キャリアアグリゲーションの要否を判定する要否判定部と、前記要否判定部がキャリアアグリゲーション要と判定したときに、前記複数の基地局装置の中から、通信可能な基地局装置を探索するセルサーチ部と、前記探索により通信可能な基地局装置を少なくとも１つ検出したときに、前記第１の基地局装置にキャリアアグリゲーションの要求を通知するキャリアアグリゲーション要求部とを具備することを特徴とする。
【００１３】
（２）また、本発明の他の態様は、上述の無線通信システムであって、前記移動局装置は、前記探索により通信可能な基地局装置を検出したときに、検出した前記基地局装置に自移動局装置が接続可能か否かを判定する接続可否判定部を具備し、前記キャリアアグリゲーション要求部が前記第１の基地局装置にキャリアアグリゲーションの要求を通知するのは、前記探索により通信可能な基地局装置を検出し、かつ、前記検出した基地局装置に自移動局装置が接続可能であると前記接続可否判定部が判定したときであることを特徴とする。
【００１４】
（３）また、本発明の他の態様は、上述の無線通信システムであって、前記移動局装置は、前記第１の基地局装置から、キャリアアグリゲーション可能な周辺基地局に関する情報を取得する周辺基地局情報取得部を具備し、前記セルサーチ部は、前記探索をする際に、前記周辺基地局情報取得部が取得した周辺基地局に関する情報を参照することを特徴とする。
【００１５】
（４）また、本発明の他の態様は、上述の無線通信システムであって、前記複数の基地局装置と通信可能に接続された基地局管理装置を具備し、前記基地局管理装置は、前記基地局装置からの要求に応じて、該要求元の基地局装置の周辺基地局のうち、キャリアアグリゲーション可能な基地局装置を示す情報を通知する基地局情報取得部を具備し、前記第１の基地局装置は、前記基地局管理装置に対して要求して、自基地局装置の周辺基地局のうち、キャリアアグリゲーション可能な基地局情報を示す情報を取得する周辺基地局情報取得部と、前記移動局装置に対して、前記周辺基地局情報取得部が取得したキャリアアグリゲーション可能な基地局情報を示す情報を提供する周辺基地局情報提供部とを具備することを特徴とする。
【００１６】
（５）また、本発明の他の態様は、上述の無線通信システムであって、前記移動局装置は、前記第１の基地局装置から前記要求の応答を受信すると、前記検出した基地局装置との間で接続処理を行う移動局接続処理部を具備することを特徴とする。
【００１７】
（６）また、本発明の他の態様は、上述の無線通信システムであって、前記キャリアアグリゲーションの要求は、前記検出した基地局装置のうち、少なくとも１つを示す情報を含み、前記第１の基地局装置は、前記キャリアアグリゲーションの要求を受信すると、該要求が含む情報が示す前記基地局装置に、前記移動局装置を示す情報を通知する移動局通知部を具備し、前記基地局装置は、前記第１の基地局装置から前記移動局装置を示す情報を受信すると、前記移動局装置との間で接続処理を行う基地局接続処理部を具備することを特徴とする。
【００１８】
（７）また、本発明の他の態様は、上述の無線通信システムであって、前記移動局通知部は、前記キャリアアグリゲーションの要求に含まれる情報が複数の前記検出した基地局装置を示すときは、該複数の基地局装置各々に、前記移動局装置を示す情報を通知することを特徴とする。
【００１９】
（８）また、本発明の他の態様は、上述の無線通信システムであって、前記要否判定部は、自移動局装置が、前記第１の基地局装置に加えて第２の基地局装置と通信しているときは、前記第１の基地局装置との通信状態に加えて、前記第２の基地局装置との通信状態を参照して、キャリアアグリゲーションの要否を判定することを特徴とする。
【００２０】
（９）また、本発明の他の態様は、上述の無線通信システムであって、前記キャリアアグリゲーションの要求は、ホーム基地局装置へのハンドオーバーに利用されている隣接セル情報にキャリアアグリゲーション用であることを示すビットを追加したものであることを特徴とする。
【００２１】
（１０）また、本発明の他の態様は、複数の基地局装置と、前記複数の基地局装置と通信する移動局装置とを具備する無線通信システムにおける無線通信方法であって、前記移動局装置が、前記複数の基地局装置のうち、自移動局装置と通信中の基地局装置である第１の基地局装置との通信状態を参照して、キャリアアグリゲーションの要否を判定する第１の過程と、前記移動局装置が、前記第１の過程にてキャリアアグリゲーション要と判定したときに、前記基地局装置の中から、通信可能な基地局装置を探索する第２の過程と、前記移動局装置が、前記探索により通信可能な基地局装置を少なくとも１つ検出したときに、前記第１の基地局装置にキャリアアグリゲーションの要求を通知する第３の過程とを有することを特徴とする。
【００２２】
（１１）また、本発明の他の態様は、複数の基地局装置と通信する移動局装置であって、前記複数の基地局装置のうち、自移動局装置と通信中の基地局装置である第１の基地局装置との通信状態を参照して、キャリアアグリゲーションの要否を判定する要否判定部と、前記要否判定部がキャリアアグリゲーション要と判定したときに、前記基地局装置の中から、通信可能な基地局装置を探索するセルサーチ部と、前記探索により通信可能な基地局装置を少なくとも１つ検出したときに、前記第１の基地局装置にキャリアアグリゲーションの要求を通知するキャリアアグリゲーション要求部とを具備することを特徴とする。
【００２３】
（１２）また、本発明の他の態様は、移動局装置と無線通信し、基地局管理装置と通信可能に接続される基地局装置であって、前記基地局管理装置に対して要求して、自基地局装置の周辺基地局のうち、キャリアアグリゲーション可能な基地局情報を示す情報を取得する周辺基地局情報取得部と、前記移動局装置に対して、前記周辺基地局情報取得部が取得したキャリアアグリゲーション可能な基地局情報を示す情報を提供する周辺基地局情報提供部とを具備することを特徴とする。
【発明の効果】
【００２４】
この発明によれば、優れた伝送速度を奏することができる。
【図面の簡単な説明】
【００２５】
【図１】この発明の第１の実施形態による無線通信システム１００の構成を示す概略ブロック図である。
【図２】同実施形態における移動局装置１０５の構成を示す概略ブロック図である。
【図３】同実施形態における移動局装置１０５の論理的な機能構成の一部を示す概略ブロック図である。
【図４】同実施形態におけるＨｅＮＢ１０１の構成を示す概略ブロック図である。
【図５】同実施形態におけるＨｅＮＢ１０１の論理的な機能構成の一部を示す概略ブロック図である。
【図６】同実施形態におけるＨｅＮＢ  ＧＷ１０４の構成を示す概略ブロック図である。
【図７】同実施形態におけるＨｅＮＢ  ＧＷ１０４の論理的な機能構成の一部を示す概略ブロック図である。
【図８】同実施形態における移動局装置１０５の動作を説明するフローチャートである。
【図９】同実施形態における無線通信システム１００の動作を説明するシーケンス図である。
【図１０】同実施形態における周波数帯の使用状態の変化例を説明する図である。
【図１１】この発明の第２の実施形態による移動局装置１０５ａの論理的な機能構成の一部を示す概略ブロック図である。
【図１２】同実施形態におけるＨｅＮＢ１０１ａの論理的な機能構成の一部を示す概略ブロック図である。
【図１３】同実施形態における無線通信システム１００ａの動作を説明するシーケンス図である。
【図１４】この発明の第３の実施形態による移動局装置１０５ｂの論理的な機能構成の一部を示す概略ブロック図である。
【図１５】同実施形態におけるＨｅＮＢ１０１ｂの論理的な機能構成の一部を示す概略ブロック図である。
【図１６】同実施形態における無線通信システム１００ｂの動作を説明するシーケンス図である。
【図１７】この発明の第４の実施形態による移動局装置１０５ｃの論理的な機能構成の一部を示す概略ブロック図である。
【図１８】同実施形態におけるＨｅＮＢ１０１ｃの論理的な機能構成の一部を示す概略ブロック図である。
【図１９】同実施形態におけるＨｅＮＢ  ＧＷ１０４ｃの論理的な機能構成の一部を示す概略ブロック図である。
【図２０】同実施形態における実施形態における移動局装置１０５ｃの動作を説明するフローチャートである。
【図２１】同実施形態における無線通信システム１００ｃの動作を説明するシーケンス図である。
【図２２】この発明の第５の実施形態による移動局装置１０５ｄの論理的な機能構成の一部を示す概略ブロック図である。
【図２３】同実施形態におけるＨｅＮＢ１０１ｄの論理的な機能構成の一部を示す概略ブロック図である。
【図２４】この発明の第６の実施形態による移動局装置１０５ｅの構成を示す概略ブロック図である。
【図２５】同実施形態における移動局装置１０５ｅの論理的な機能構成の一部を示す概略ブロック図である。
【図２６】同実施形態における周波数帯の使用状態の変化例を説明する図である。
【図２７】この発明の第７の実施形態による移動局装置１０５ｆの構成を示す概略ブロック図である。
【図２８】同実施形態における移動局装置１０５ｆの構成を示す概略ブロック図である。
【図２９】同実施形態における無線通信システム１００ｆの動作を説明するシーケンス図である。
【図３０】同実施形態における無線通信システム１００ｆの別の動作を説明するシーケンス図である。
【発明を実施するための形態】
【００２６】
［第１の実施形態］
以下、図面を参照して、本発明の第１の実施形態について説明する。図１は、この発明の第１の実施形態による無線通信システム１００の構成を示す概略ブロック図である。無線通信システム１００は、ＨｅＮＢ（Home eNode B；ホーム基地局装置、小電力基地局装置、フェムトセル基地局装置ともいう）１０１、１０２、１０３、ＨｅＮＢ  ＧＷ（ＨｅＮＢ  Ｇａｔｅｗａｙ；ホーム基地局ゲートウェイ）１０４、移動局装置１０５を含んで構成される。ＨｅＮＢ１０１（第１の基地局装置）、１０２、１０３は、それぞれセルＣ１、Ｃ２、Ｃ３を通信範囲としている基地局装置である。セルＣ１、Ｃ２、Ｃ３は、互いに重複する部分を含んでいる。ＨｅＮＢ１０１、１０２、１０３は、それぞれ１つの周波数帯を用いて移動局装置１０５と通信する。これらの周波数帯は、コンポーネントキャリアともいい、その帯域幅の最大は、２０ＭＨｚである。また、ＨｅＮＢ１０１、１０２、１０３が用いる周波数は、互いに異なる。なお、ＨｅＮＢ１０１、１０２、１０３の各々は、上りリンクと下りリンクとで異なる周波数を用いるようにしてもよい。
【００２７】
ＨｅＮＢ  ＧＷ１０４（基地局ゲートウェイ）は、ＩＰ（Internet Protocol）ネットワークにより、各ＨｅＮＢ１０１、１０２、１０３と通信可能に接続されている。移動局とＨｅＮＢ１０１、１０２、１０３のＣＡ時の送受信タイミング制御を統一するために、ＨｅＮＢ  ＧＷ１０４は、ＨｅＮＢ１０１、１０２、１０３の動作（移動局装置への送信信号）をフレーム単位のタイミングを同期させる。
また、ＨｅＮＢ  ＧＷ１０４は、ＨｅＮＢ１０１、１０２、１０３間の制御信号を中継する。また、ＨｅＮＢ  ＧＷ１０４は、コアネットワーク１０６と接続されており、コアネットワーク１０６から受けた移動局装置１０５宛てのデータを、ＨｅＮＢ１０１、１０２、１０３のいずれかを介して送信する。
【００２８】
移動局装置１０５は、ＨｅＮＢ１０１、１０２、１０３と無線通信する。なお、移動局装置１０５は、例えばＨｅＮＢ１０１および１０２など、複数のＨｅＮＢと同時に通信するキャリアアグリゲーションを行う。なお、以下では、移動局装置１０５が、ＨｅＮＢ１０１のセルをＰＣＣ（プライマリコンポーネントキャリア）とし、ＨｅＮＢ１０２のセルをＳＣＣ（セカンダリコンポーネントキャリア）として、キャリアアグリゲーションを行うものとして説明する。また、以下の説明において、符号を付けずに移動局装置と記載することがあるが、これは移動局装置１０５に限定されず、その他の移動局装置も含んでいること表す。符号を付さない基地局装置あるいはＨｅＮＢという記載も、同様に、ＨｅＮＢ１０１〜１０３に限定されず、その他の基地局装置あるいはＨｅＮＢを含んでいることを表す。
【００２９】
図２は、移動局装置１０５の構成を示す概略ブロック図である。移動局装置１０５は、２つの送受信部２００、２０１、制御部２０３、メモリ部２０４、ユーザインタフェース２０５、２つの送受信アンテナ２０６、２０７を含んで構成される。送受信部２００、２０１は、それぞれ、制御部２０３により指定された周波数および帯域幅で、送受信アンテナ２０６、２０７を介して、ＨｅＮＢ１０１、１０２、１０３と無線通信する。なお、本実施形態では、キャリアアグリゲーションを行っていないとき、すなわち１つの基地局装置と通信しているときは、送受信部２００が通信を行う。また、キャリアアグリゲーションを行っているときは、送受信部２００、２０１の各々が異なる周波数帯（コンポーネントキャリア）を用いて、それぞれ対応する基地局装置と通信する。
【００３０】
制御部２０３は、メモリ部２０４が記憶するプログラムを読みだして実行することにより、移動局装置１０５全体を制御する。メモリ部２０４は、制御部２０３が実行するプログラムと、該プログラムを実行する際に必要なデータを記憶する。ユーザインタフェース２０５は、マイクロフォン、スピーカ、ディスプレイ、入力キー、タッチパネルなどのユーザへの情報の提示およびユーザからの情報の入力を行うためのデバイスである。
【００３１】
図３は、移動局装置１０５の論理的な機能構成の一部を示す概略ブロック図である。同図において、要否判定部２１０、セルサーチ部２１１、ＣＡ要求部２１２、接続処理部２１３は、制御部２０３が、メモリ部２０４が記憶するプログラムを読みだして実行することにより実現される。要否判定部２１０は、自移動局装置１０５と通信中の基地局装置（ここではＨｅＮＢ１０１）との通信状態を参照して、キャリアアグリゲーションの要否を判定する。あるいは、要否判定部２１０は、ユーザがユーザインタフェース２０５に対して、スループットの向上もしくはキャリアアグリゲーションの実施を要求する入力操作をしたときに、該入力操作を受けて、キャリアアグリゲーション要と判定するようにしてもよい。
【００３２】
要否判定部２１０は、例えば、ＨｅＮＢ１０１に対してユーザデータを送信している送受信部２００における上りの通信速度（スループット、単位時間当たりの通信データ量）を測定し、これを通信状態として用いる。その場合、ＨｅＮＢ１０１は、必要な上りの通信速度が測定結果の通信速度よりも大きいときは、キャリアアグリゲーション要と判定し、それ以外のときは不要と判定する。なお、必要な上りの通信速度は、音声通話であれば６４ｋｂｐｓ、テレビ電話であれば２５６ｋｂｐｓというように、使用しているサービスに応じた値としてもよい。あるいは、ユーザが移動局装置１０５に対して指定した値であってもよいし、移動局装置１０５上で動作しているアプリケーションが指定するようにしてもよい。また、要否判定部２１０は、通信状態として、上りリンクにて送信するユーザデータを記憶するバッファが記憶するデータ量を用いるようにしてもよい。要否判定部２１０は、該バッファが記憶するデータ量が所定の値を超えたとき、あるいは、その単位時間当たりの増加量が所定の値を超えたときは、キャリアアグリゲーション要と判定する。
【００３３】
セルサーチ部２１１は、要否判定部２１０がキャリアアグリゲーション要と判定したときに、通信可能な基地局装置を探索する（セルサーチ、周辺セル測定ともいう）。具体的には、セルサーチ部２１１は、送受信部２０１に対して、予め決められた周波数を順に設定する。そして、セルサーチ部２１１は、設定した周波数毎に、該周波数にて送受信部２０１が受信した信号を取得する。セルサーチ部２１１は、該取得した信号から基地局装置が送信した同期チャネルを検出し、その受信電力を測定する。セルサーチ部２１１は、該受信電力が所定の値以上であれば、自移動局装置１０５は、その同期チャネルを送信した基地局装置の通信範囲内に位置しており、該基地局装置は通信可能な基地局装置であると判定する。また、セルサーチ部２１１は、通信可能と判定した基地局装置についは、該基地局装置が送信している報知情報やシステム情報を受信し、記憶する。なお、セルサーチ部２１１が、この報知情報やシステム情報を参照して、検出した基地局装置がキャリアアグリゲーションによる通信を行う機能を有しているか否かを判定し、有しているときのみ該基地局装置をキャリアアグリゲーションの対象とする、すなわち通信可能な基地局装置と判定するようにしてもよい。なお、セルサーチ部２１１が、送受信部２０１に対して設定する周波数は、例えば、現在通信中の基地局装置からハンドオーバーした基地局装置や、現在通信中の基地局装置とともにキャリアアグリゲーションをした基地局装置の周波数としてもよい。
【００３４】
なお、本実施形態では、セルサーチ部２１１は、通信可能な基地局装置を複数検出したときは、基地局種別や受信電力を参照して、それらの中から１つ（ここでは、ＨｅＮＢ１０２）を選択する。例えば、基地局種別を参照する場合、ＣＳＧ（Closed Subscriber Group）＿ＨｅＮＢ、Ｈｙｂｒｉｄ＿ＨｅＮＢ、ＯＰＥＮ＿ＨｅＮＢの順に優先する。さらに、同じ基地局種別の中では、受信電力が大きいものを優先するようにしてもよい。なお、ここで、ＣＳＧ＿ＨｅＮＢとは、当該基地局に登録された特定の契約者の移動局装置のみが通信接続することができるＨｅＮＢである。また、ＯＰＥＮ＿ＨｅＮＢとは、ＣＳＧ＿ＨｅＮＢのような制限をしないＨｅＮＢである。Ｈｙｂｒｉｄ＿ＨｅＮＢとは、ＣＳＧ＿ＨｅＮＢとＯＰＥＮ＿ＨｅＮＢとのハイブリッドであり、例えば、当該基地局に登録された特定の契約者の移動局装置用に、優先して帯域を割り当て、残りの帯域をその他の移動局装置との通信に割り当てるＨｅＮＢである。
【００３５】
ＣＡ要求部２１２は、セルサーチ部２１１が探索により通信可能な基地局装置を検出したときに、自装置が通信中の基地局装置（ここでは、ＨｅＮＢ１０１）にキャリアアグリゲーションの要求を通知する。なお、このキャリアアグリゲーションの要求は、検出した基地局装置（ここでは、ＨｅＮＢ１０２）を示す情報を含む。また、ＣＡ要求部２１２は、キャリアアグリゲーションの要求を示す信号を、送受信部２００に出力し、無線送信させることで、ＨｅＮＢ１０１に該要求を通知する。
【００３６】
接続処理部２１３は、基地局装置との間で、ＳＣＣとしての接続処理を行う。接続処理部２１３は、ＣＡ要求部２１２がキャリアアグリゲーションの要求に対する応答を受信したときは、セルサーチ部２１１が検出した基地局装置（ここでは、ＨｅＮＢ１０２）との間で接続処理を行う。具体的には、接続処理部２１３は、送受信部２０１に対して、ＨｅＮＢ１０２と通信するための周波数を設定する。そして、接続処理部２１３は、ＨｅＮＢ１０２に対して、ＳＣＣとして接続することを要求するキャリアアグリゲーション接続要求（ＣＡ接続要求）を、送受信部２０１を介して送信する。なお、このキャリアアグリゲーション接続要求は、物理上りリンク共有チャネル（ＰＵＳＣＨ；Physical Uplink Shared Channel）を用いて送信する。これにより、ＳＣＣとして接続するＨｅＮＢ１０２との間で物理上り制御チャネル（ＰＵＣＣＨ；Physical Uplink Control Channel）や、物理ランダムアクセスチャネル（ＰＲＡＣＨ；Physical Random Access Channel）を用いないようにすることができる。
【００３７】
図４は、ＨｅＮＢ１０１の構成を示す概略ブロック図である。ＨｅＮＢ１０２、１０３は、移動局装置との送受信に用いる周波数帯が異なる点以外は、ＨｅＮＢ１０１と同様の構成であるので、説明を省略する。ＨｅＮＢ１０１は、送受信アンテナ３００、送受信部３０１、制御部３０２、メモリ部３０３、通信部３０４を含んで構成される。送受信部３０１は、送受信アンテナ３００を介して、予め決められた周波数帯を用いて、移動局装置１０５と無線通信する。制御部３０２は、メモリ部３０３が記憶するプログラムを読みだして実行することにより、ＨｅＮＢ１０１全体を制御する。メモリ部３０３は、制御部３０２が実行するプログラムと、該プログラムを実行する際に必要なデータを記憶する。通信部３０４は、ＨｅＮＢ  ＧＷ１０４と通信する。
【００３８】
図５は、ＨｅＮＢ１０１の論理的な機能構成の一部を示す概略ブロック図である。ＨｅＮＢ１０２、１０３は、論理的な機能構成もＨｅＮＢ１０１と同様の構成であるので、説明を省略する。同図において、ＣＡ要求処理部３１０、ＣＡ接続処理部３１１は、制御部３０２が、メモリ部３０３が記憶するプログラムを読みだして実行することにより実現される。また、ＣＡ要求処理部３１０、ＣＡ接続処理部３１１は、ＨｅＮＢ  ＧＷ１０４との通信は、通信部３０４を介して行い、移動局装置との通信は、送受信部３０１を介して行う。
【００３９】
ＣＡ要求処理部３１０は、移動局装置（ここでは、移動局装置１０５）からキャリアアグリゲーションの要求を受信すると、該要求に含まれる情報が示す基地局装置（ここでは、ＨｅＮＢ１０２）へのキャリアアグリゲーションの要求を、ＨｅＮＢＧＷ１０４に送信する。このＨｅＮＢ１０２へのキャリアアグリゲーションの要求には、キャリアアグリゲーションの要求元である移動局装置１０５の識別情報が含まれる。ＣＡ要求処理部３１０は、該キャリアアグリゲーションの要求に対する応答（ＡＣＫ）を、ＨｅＮＢ  ＧＷ１０４から受信すると、移動局装置１０５に応答（ＡＣＫ）を送信する。
【００４０】
ＣＡ接続処理部３１１は、ＨｅＮＢ  ＧＷ１０４からキャリアアグリゲーションの要求を受信すると、応答（ＡＣＫ）を返す。そして、ＣＡ接続処理部３１１は、該要求に含まれる情報が示す移動局装置と、ＳＣＣとして接続するための接続処理を行う。具体的には、ＣＡ接続処理部３１１は、該要求に含まれる情報が示す移動局装置からの接続要求を受信するための待機状態となり、接続要求を受信すると、該移動局装置との間で接続処理を行う。例えば、ＨｅＮＢ１０１がＰＣＣとして移動局装置１０５と接続しており、ＨｅＮＢ１０２がＳＣＣとして該移動局装置１０５と接続する場合は、ＨｅＮＢ１０２内のＣＡ接続処理部３１１が上述の動作をする。すなわち、ＨｅＮＢ１０２のＣＡ接続処理部３１１が、ＨｅＮＢ１０１が発行したキャリアアグリゲーションの要求をＨｅＮＢ  ＧＷ１０４を介して受信し、移動局装置１０５との間で接続処理を行う。
【００４１】
図６は、ＨｅＮＢ  ＧＷ１０４の構成を示す概略ブロック図である。ＨｅＮＢ  ＧＷ１０４は、制御部４００、メモリ部４０１、通信部４０２を含んで構成される。制御部４００は、メモリ部４０１が記憶するプログラムを読みだして実行することにより、ＨｅＮＢ  ＧＷ１０４全体を制御する。メモリ部４０１は、制御部４００が実行するプログラムと、該プログラムを実行する際に必要なデータを記憶する。通信部４０２は、コアネットワーク１０６を介して接続された他の装置およびＨｅＮＢ１０１〜１０３と通信する。
【００４２】
図７は、ＨｅＮＢ  ＧＷ１０４の論理的な機能構成の一部を示す概略ブロック図である。同図において、同期部４１０、制御信号中継部４１１、データ中継部４１２、ＨｅＮＢ記憶部４１３は、制御部４００が、メモリ部４０１が記憶するプログラムを読みだして実行することにより実現される。ＨｅＮＢ記憶部４１３は、当該ＨｅＮＢ  ＧＷ１０４の管理下にあるＨｅＮＢの識別情報と、該ＨｅＮＢと接続中の移動局装置の識別情報とを対応付けて記憶する。
【００４３】
同期部４１０は、通信部４０２を介して、当該ＨｅＮＢ  ＧＷ１０４の管理下にあるＨｅＮＢ（ここでは、ＨｅＮＢ１０１〜１０３）と通信し、これらのＨｅＮＢが送信する無線信号を同期させる。制御信号中継部４１１は、通信部３０４が受信した、ＨｅＮＢから他のＨｅＮＢへの制御信号（例えば、キャリアアグリゲーションの要求やその応答）を、通信部３０４を介して、該他のＨｅＮＢへ送信することで、制御信号を中継する。なお、各ＨｅＮＢは、送信先のＨｅＮＢを指定して、各制御信号をＨｅＮＢ  ＧＷ１０４に送信する。制御信号中継部４１１は、該指定された送信先のＨｅＮＢに、制御信号を中継する。
【００４４】
データ中継部４１２は、コアネットワーク１０６を介して接続された他の装置から移動局装置へのデータを、通信部４０２が受信すると、ＨｅＮＢ記憶部４１３を参照して、該移動局装置が接続中のＨｅＮＢに、該データを、通信部４０２を介して送信する。なお、データ中継部４１２は、該移動局装置が接続中のＨｅＮＢが複数あるとき、すなわちキャリアアグリゲーションを実施しているときは、該データを分割する。そして、データ中継部４１２は、分割したデータ各々を、例えば、ラウンドロビン方式などにより決めたＨｅＮＢに送信する。また、データ中継部４１２は、通信部４０２が受信した移動局装置の送信データを、通信部４０２およびコアネットワーク１０６を介して、該送信データの宛先に転送する。キャリアアグリゲーションを行っているときは、通信部４０２は、複数のＨｅＮＢを介して、移動局装置１０５の送信データを受信するが、データ中継部４１２は、これらを合わせて、該送信データの送信先に転送する。
【００４５】
図８は、本実施形態における移動局装置１０５の動作を説明するフローチャートである。移動局装置１０５は、図８のフローチャートに示す処理を定期的に行う。まず、要否判定部２１０が、上りの通信速度を測定する（Ｓ１）。そして、要否判定部２１０は、測定結果の上りの通信速度を参照して、キャリアアグリゲーションの要否を判定する（Ｓ２）。より具体的には、要否判定部２１０は、測定結果の上りの通信速度と、必要な上りの通信速度とを比較し、必要な上りの通信速度方が大きければ、キャリアアグリゲーション要と判定する。要否判定部２１０が、キャリアアグリゲーション不要と判定したときは（Ｓ２−Ｎｏ）、そのまま処理を終了する。
【００４６】
一方、ステップＳ２にて、キャリアアグリゲーション要と判定したときは（Ｓ２−Ｙｅｓ）、セルサーチ部２１１が、通信可能な基地局装置を探索する（Ｓ３）。この探索により、通信可能な基地局装置が検出されなかったときは（Ｓ４−Ｎｏ）、そのまま処理を終了する。一方、通信可能な基地局装置を検出したときは（Ｓ４−Ｙｅｓ）、ＣＡ要求部２１２が、キャリアアグリゲーションの要求を、そのとき自移動局装置１０５と通信中の基地局装置（ここでは、ＨｅＮＢ１０１）に送信する（Ｓ５）。なお、ＣＡ要求部２１２は、このキャリアアグリゲーションの要求に、ステップＳ３の探索で検出した基地局装置（ここでは、ＨｅＮＢ１０２）の識別情報を含める。
【００４７】
ＣＡ要求部２１２は、ステップＳ５にて送信したキャリアアグリゲーションの要求に対する応答を所定時間経過しても受信しないとき、あるいは、該要求に対する否定応答（ＮＡＣＫ）を受信したときは（Ｓ６−Ｎｏ）、そのまま処理を終了する。また、該要求に対する応答（ＡＣＫ）を受信したときは（Ｓ６−Ｙｅｓ）、接続処理部２１３が、ステップＳ３にて検出した基地局装置（ここでは、ＨｅＮＢ１０２）を、ＳＣＣとして接続する接続処理を、該基地局装置との間で行う（Ｓ７）。
【００４８】
図９は、本実施形態における無線通信システム１００の動作を説明するシーケンス図である。なお、ＨｅＮＢ１０１、１０２とＨｅＮＢ  ＧＷ１０４との間の通信は、各装置における通信部３０４、４０２を介して行われるが、以下の説明においては省略する。まず、移動局装置１０５がＨｅＮＢ１０１と通信中のときに（Ｓａ１）、要否判定部２１０が、スループットの向上、すなわち、キャリアアグリゲーション要と判定したとする（Ｓａ２）。
【００４９】
すると、セルサーチ部２１１は、そのとき利用していない送受信部２０１に対して、周辺セル測定をするための周波数を設定し、周辺セルの測定をする。なお、このとき、セルサーチ部２１１は、自移動局装置１０５の過去の在圏履歴、現在の位置情報などを基にして、測定対象とする基地局装置を選択してもよい。その場合、送受信部２０１に設定する周波数は、選択された基地局装置が用いる周波数にする。ここでは、セルサーチ部２１１は、この周辺セル測定により、通信可能な基地局装置としてＨｅＮＢ１０２を検出したとする（Ｓａ３）。ここで、セルサーチ部２１１がＨｅＮＢ１０２を通信可能な基地局装置として検出したということは、移動局装置１０５が、ＨｅＮＢ１０１、ＨｅＮＢ１０２双方のサービスエリア内に位置していることを意味する。
【００５０】
ＣＡ要求部２１２は、シーケンスＳａ３にて検出したＨｅＮＢ１０２を識別する情報を含むキャリアアグリゲーションの要求（ＣＡ要求）を、ＨｅＮＢ１０１に送信する（Ｓａ４）。ＨｅＮＢ１０１のＣＡ要求処理部３１０は、このキャリアアグリゲーションの要求を受信すると、該要求に含まれる情報が示すＨｅＮＢ１０２に対するキャリアアグリゲーションの要求を、ＨｅＮＢ  ＧＷ１０４に送信する（Ｓａ５）。なお、ＣＡ要求処理部３１０は、ＨｅＮＢ１０２に対するキャリアアグリゲーションの要求には、キャリアアグリゲーションの要求元である移動局装置１０５を識別する情報を含めて、送信する。ＨｅＮＢ  ＧＷ１０４の制御信号中継部４１１は、このキャリアアグリゲーションの要求を受信すると、これをＨｅＮＢ１０２に転送する（Ｓａ６）。なお、このとき、ＨｅＮＢ１０１、１０２が同期されていないときは、ＨｅＮＢ  ＧＷ１０４の同期部４１０がこれらを同期させるようにしてもよい。また、ＨｅＮＢ１０１、１０２間の通信は、このようにＨｅＮＢ  ＧＷ１０４を経由するＳ１インタフェースを用いてもよいし、直接通信するＸ２インタフェースを用いてもよい。あるいは、基地局間のインタフェースであるＸ２インタフェースを、ＨｅＮＢ  ＧＷ１０４が中継するようにしてもよい。
【００５１】
ＨｅＮＢ１０２のＣＡ接続処理部３１１は、このキャリアアグリゲーションの要求を受信すると、ＨｅＮＢ  ＧＷ１０２を介して、応答（ＡＣＫ）をＨｅＮＢ１０１に返す（Ｓａ７、Ｓａ８）。また、ＣＡ接続処理部３１１は、該要求に含まれる情報が識別する移動局装置１０５と接続するための準備をし、移動局装置１０５からの接続要求待ちとなる（Ｓａ９）。
【００５２】
ＨｅＮＢ１０１のＣＡ要求処理部３１０は、シーケンスＳａ８の応答を受信すると、移動局装置１０５に応答（ＡＣＫ）を送信する（Ｓａ１０）。この応答は、シーケンスＳａ４のキャリアアグリゲーションの要求に対する応答であり、移動局装置１０５にとっては、ＨｅＮＢ１０１とＨｅＮＢ１０２が、ＨｅＮＢ１０１をＰＣＣ、ＨｅＮＢ１０２をＳＣＣとするキャリアアグリゲーションの実施を、自移動局装置１０５に対して許可したことを意味する。この応答を受信すると、移動局装置１０５の接続処理部２１３は、ＳＣＣを追加する処理を開始する（Ｓａ１１）。接続処理部２１３は、ＳＣＣとしてＨｅＮＢ１０２を追加するために、ＨｅＮＢ１０２に対して、キャリアアグリゲーション接続要求（ＣＡ接続要求）を送信する（Ｓａ１２）。接続処理部２１３は、このＣＡ接続要求（データ通信開始メッセージ）を、ＰＵＳＣＨを用いて送信する。なお、ＨｅＮＢ１０１とＨｅＮＢ１０２とは、ＨｅＮＢ  ＧＷ１０４によって同期されているので、送受信部２０１は、送受信部２００がＨｅＮＢ１０１と同期させているタイミングを用いて、ＨｅＮＢ１０２に送信する。
【００５３】
移動局装置１０５からの接続要求待ちとなっていたＨｅＮＢ１０２のＣＡ接続処理部３１１は、このキャリアアグリゲーション接続要求を受信すると、その応答（ＡＣＫ）を、ＰＤＳＣＨ（物理下り共有チャネル；Physical Downlink Shared Channel）または、ＰＤＣＣＨ（物理下り制御チャネル；Physical Downlink Control Channel）を用いて移動局装置１０５に返す（Ｓａ１３）。なお、以下の２点により、このキャリアアグリゲーション接続要求を受けたＣＡ接続処理部３１１は、接続処理を簡易化できる。１点目は、シーケンスＳａ６のＣＡ要求を受信した際に、ＣＡ接続処理部３１１により、移動局装置１０５の識別情報が、ＨｅＮＢ１０２に登録されていることである。２点目は、ＨｅＮＢ  ＧＷ１０４によりＨｅＮＢ１０１とＨｅＮＢ１０２とは同期されているので、ＨｅＮＢ１０１との同期がとれている移動局装置１０５は、ＨｅＮＢ１０２とも既に同期がとれているということである。
【００５４】
これにより、移動局装置１０５は、ＨｅＮＢ１０２と接続した状態になり（Ｓａ１４）、ＨｅＮＢ１０１およびＨｅＮＢ１０２と通信する（Ｓａ１５）。なお、このとき、ＨｅＮＢ１０１はＰＣＣとして、ＨｅＮＢ１０２はＳＣＣとして、移動局装置１０５と接続している。
【００５５】
図１０は、周波数帯の使用状態の変化例を説明する図である。キャリアアグリゲーションを行っていないときである符号ＳＴ１の例では、移動局装置１０５と、ＨｅＮＢ１０１とは、周波数帯Ｆ１を用いて通信をする。ＨｅＮＢ１０２は、周波数帯Ｆ２を用いていることができるが、移動局装置１０５とは通信していない。これは、図９のＳａ１のときに相当する。一方、キャリアアグリゲーションを行っているときである符号ＳＴ２の例では、移動局装置１０５と、ＨｅＮＢ１０１とは、周波数帯Ｆ１を用いて通信し、移動局装置１０５と、ＨｅＮＢ１０２とは、周波数帯Ｆ２を用いて通信している。これは、図９のＳａ１５のときに相当する。
【００５６】
このように、ＨｅＮＢ１０１が提供するコンポーネントキャリアが一つだけであっても、移動局装置１０５が、ＨｅＮＢ１０１および他の基地局装置（ここでは、ＨｅＮＢ１０２）と同時に通信できるようになるので、優れた伝送速度を得ることができる。
【００５７】
［第２の実施形態］
以下、図面を参照して、本発明の第２の実施形態について説明する。本実施形態における無線通信システム１００ａは、図１における無線通信システム１００と同様に、ＨｅＮＢ１０１ａ、１０２ａ、１０３ａ、ＨｅＮＢ  ＧＷ１０４、移動局装置１０５ａを含んで構成される。ＨｅＮＢ  ＧＷ１０４は、図１におけるＨｅＮＢ１０４と同様であるので、説明を省略する。ＨｅＮＢ１０１ａ、１０２ａ、１０３ａは、図１におけるＨｅＮＢ１０１と同様の構成であるが、論理的な機能構成が一部異なるので、後述する。また、移動局装置１０５ａは、図１における移動局装置１０５と同様の構成であるが、論理的な機能構成が一部異なるので、後述する。
【００５８】
図１１は、移動局装置１０５ａの論理的な機能構成の一部を示す概略ブロック図である。同図において、要否判定部２１０、セルサーチ部２１１、ＣＡ要求部２１２ａ、接続処理部２１３、接続可否判定部２１４ａ、接続可基地局記憶部２１５ａは、制御部２０３が、メモリ部２０４が記憶するプログラムを読みだして実行することにより実現される。また、同図において、図３の各部に対応する部分には同一の符号（２００、２０１、２１０、２１１、２１３）を付け、その説明を省略する。なお、下記において、ＨｅＮＢ１０１ａとの通信は、送受信部２００を介して行い、ＨｅＮＢ１０２ａとの通信は、送受信部２０１を介して行う。
【００５９】
接続可基地局記憶部２１５ａは、基地局種別がＣＳＧ＿ＨｅＮＢであるＨｅＮＢのうち、自移動局装置１０５が登録されており、通信接続可能なＨｅＮＢの識別情報（セルＩＤ、ＣＳＧＩＤともいう）のリスト（CSG_whitelistともいう）を記憶する。なお、接続可基地局記憶部２１５ａは、基地局種別がＨｙｂｒｉｄ＿ＨｅＮＢであるＨｅＮＢのうち、自移動局装置１０５が登録されており、自移動局装置１０５に優先して帯域を割り当てるＨｅＮＢの識別情報のリストも記憶していてもよい。
【００６０】
接続可否判定部２１４ａは、セルサーチ部２１１が検出した基地局装置の基地局種別がＣＳＧ＿ＨｅＮＢであるときは、その識別情報と、接続可基地局記憶部２１５ａが記憶する基地局装置の識別情報とを照合する。この照合の結果、一致するものがあるときは、接続可否判定部２１４ａは、該基地局装置に接続可能と判定する。
【００６１】
ＣＡ要求部２１２ａは、セルサーチ部２１１が検出した基地局装置の基地局種別がＣＳＧ＿ＨｅＮＢであり、接続可否判定部２１４ａが該基地局装置に接続可能であると判定したときは、自移動局装置１０５ａが通信中の基地局装置（ここでは、ＨｅＮＢ１０１ａ）に対して、ＣＡ通信要求を送信する。ここで、ＣＡ通信要求には、ＨｅＮＢへのハンドオーバーに利用されている隣接セル情報（ＰＩ；Proximity Indication）にキャリアアグリゲーション用であることを示すビットを追加したものを使用してもよい。なお、従来の隣接セル情報は、ハンドオーバー要求であるＰＩ＿ｆｏｒ＿ＨＯ（Hand Over）として扱い、新たにＰＩ＿ｆｏｒ＿ＣＡとして、キャリアアグリゲーション通信要求のための隣接セル情報を設けるようにしてもよい。ＰＩ＿ｆｏｒ＿ＣＡには、従来の隣接セル情報のほかに、利用していた通信を継続利用するためのパラメータが追加されている。
パラメータを追加する方法の１例として、従来のハンドオーバーを要求する隣接セル情報に、１ビットの情報を加えるという方法がある。この方法では、追加された１ビットの情報が、“０”であるなら、従来のハンドオーバー要求のための隣接セル情報とし、“１”であるなら、キャリアアグリゲーション要求のための新たな隣接セル情報とする。
また、ＣＡ要求部２１２ａは、ＣＡ通信要求に対する応答を受信すると、図３のＣＡ要求部２１２と同様にしてキャリアアグリゲーションの要求をＨｅＮＢ１０１に送信する。
【００６２】
図１２は、ＨｅＮＢ１０１ａの論理的な機能構成の一部を示す概略ブロック図である。ＨｅＮＢ１０２ａ、１０３ａの構成は、ＨｅＮＢ１０１ａと同様であるので、説明を省略する。同図において、ＣＡ要求処理部３１０ａ、ＣＡ接続処理部３１１は、制御部３０２が、メモリ部３０３が記憶するプログラムを読みだして実行することにより実現される。また、同図において、図５の各部に対応する部分には同一の符号（３１１）を付け、その説明を省略する。ＣＡ要求処理部３１０ａは、移動局装置からＣＡ通信要求を受信すると、該移動局装置に対して、ＣＡ通信要求に対する応答を送信する。また、ＣＡ要求処理部３１０ａは、該応答の送信先の移動局装置からＣＡ要求を受信すると、以降、図５のＣＡ要求処理部３１０と同様に動作する。
【００６３】
図１３は、本実施形態における無線通信システム１００ａの動作を説明するシーケンス図である。同図において、図９の各部に対応する部分には同一の符号（Ｓａ１〜Ｓａ1５）を付け、その説明を省略する。図１３に示すシーケンスは、図９とは、シーケンスＳａ３と、Ｓａ４との間に、シーケンスＳｂ４−１、Ｓｂ４−２を有する点が異なる。シーケンスＳｂ４−１では、接続可否判定部２１４ａがＨｅＮＢ１０２ａは接続可であると判定すると、移動局装置１０５ａのＣＡ要求部２１２ａが、ＣＡ通信要求（ＰＩ＿ｆｏｒ＿ＣＡ）をＨｅＮＢ１０１ａに送信する（Ｓｂ４−１）。このＣＡ通信要求を受信すると、ＨｅＮＢ１０１ａのＣＡ要求処理部３１０ａは、応答（ＰＩ＿ｆｏｒ＿ＣＡ＿ＡＣＫ）を移動局装置１０５ａに返す（Ｓｂ４−２）。
【００６４】
このように、ＨｅＮＢ１０１ａが提供するコンポーネントキャリアが一つだけであっても、移動局装置１０５ａが、ＨｅＮＢ１０１ａおよび他の基地局装置（ここでは、ＨｅＮＢ１０２ａ）と同時に通信できるようになるので、優れた伝送速度を得ることができる。
【００６５】
［第３の実施形態］
以下、図面を参照して、本発明の第３の実施形態について説明する。本実施形態における無線通信システム１００ｂは、図１における無線通信システム１００と同様に、ＨｅＮＢ１０１ｂ、１０２ｂ、１０３ｂ、ＨｅＮＢ  ＧＷ１０４、移動局装置１０５ｂを含んで構成される。ＨｅＮＢ  ＧＷ１０４は、図１におけるＨｅＮＢ１０４と同様であるので、説明を省略する。ＨｅＮＢ１０１ｂ、１０２ｂ、１０３ｂは、図１におけるＨｅＮＢ１０１と同様の構成であるが、論理的な機能構成が一部異なるので、後述する。また、移動局装置１０５ｂは、図１における移動局装置１０５と同様の構成であるが、論理的な機能構成が一部異なるので、後述する。
【００６６】
図１４は、移動局装置１０５ｂの論理的な機能構成の一部を示す概略ブロック図である。同図において、要否判定部２１０、セルサーチ部２１１、ＣＡ要求部２１２ａ、接続処理部２１３ｂは、制御部２０３が、メモリ部２０４が記憶するプログラムを読みだして実行することにより実現される。また、同図において、図３の各部に対応する部分には同一の符号（２００、２０１、２１０〜２１２）を付け、その説明を省略する。なお、下記において、ＨｅＮＢ１０１ｂとの通信は、送受信部２００を介して行い、ＨｅＮＢ１０２ｂとの通信は、送受信部２０１を介して行う。
【００６７】
接続処理部２１３ｂは、基地局装置との間で、ＳＣＣとしての接続処理を行う。接続処理部２１３は、ＣＡ要求部２１２がキャリアアグリゲーションの要求に対する応答を受信したときは、セルサーチ部２１１が検出した基地局装置（ここでは、ＨｅＮＢ１０２ｂ）との間で接続処理を行う。具体的には、接続処理部２１３ｂは、送受信部２０１に対して、ＨｅＮＢ１０２ｂと通信するための周波数を設定する。そして、接続処理部２１３ｂは、ＨｅＮＢ１０２ｂからのキャリアアグリゲーション接続要求待ちとなる。キャリアアグリゲーション接続要求を受信すると、接続処理部２１３ｂは応答（ＡＣＫ）をＨｅＮＢ１０２ｂに返し、ＨｅＮＢ１０２ｂとの接続状態（Ｓａ１４）となる。
【００６８】
図１５は、ＨｅＮＢ１０１ｂの論理的な機能構成の一部を示す概略ブロック図である。ＨｅＮＢ１０２ｂ、１０３ｂの構成は、ＨｅＮＢ１０１ｂと同様であるので、説明を省略する。同図において、ＣＡ要求処理部３１０、ＣＡ接続処理部３１１ｂは、制御部３０２が、メモリ部３０３が記憶するプログラムを読みだして実行することにより実現される。また、同図において、図５の各部に対応する部分には同一の符号（３１０）を付け、その説明を省略する。ＣＡ接続処理部３１１ｂは、ＨｅＮＢ  ＧＷ１０４からキャリアアグリゲーションの要求を受信すると、応答（ＡＣＫ）を返す。そして、ＣＡ接続処理部３１１ｂは、該要求に含まれる情報が示す移動局装置と、ＳＣＣとして接続するための接続処理を行う。図５のＣＡ接続処理部３１１とは、この接続処理が異なる。ＣＡ接続処理部３１１ｂは、要求に含まれる情報が示す移動局装置との通信準備が完了すると、該移動局装置に対して、ＣＡ接続要求を送信する。そして、該ＣＡ接続要求に対する応答を受信することで、該移動局装置との接続状態となる。
【００６９】
図１６は、本実施形態における無線通信システム１００ｂの動作を説明するシーケンス図である。同図において、図９の各部に対応する部分には同一の符号（Ｓａ１〜Ｓａ１１、Ｓａ１４、Ｓａ１５）を付け、その説明を省略する。図１６に示すシーケンスは、図９とは、シーケンスＳａ１２、Ｓａ１３に変えて、シーケンスＳｃ１２、Ｓｃ１３を有する点が異なる。シーケンスＳｃ１２では、ＨｅＮＢ１０２ｂのＣＡ接続処理部３１１ｂは、移動局装置１０５ｂに対してキャリアアグリゲーション接続要求を送信する（Ｓｃ１２）。このキャリアアグリゲーション接続要求を受信した移動局装置１０５ｂの接続処理部２１３ｂは、該接続要求に対する応答を、ＨｅＮＢ１０２ｃに送信する（Ｓｃ１３）。これにより、移動局装置１０５ｃとＨｅＮＢ１０２ｃとは、通信接続状態となる（Ｓａ１４）。
【００７０】
このように、ＨｅＮＢ１０１ｂが提供するコンポーネントキャリアが一つだけであっても、移動局装置１０５ｂが、ＨｅＮＢ１０１ｂおよび他の基地局装置（ここでは、ＨｅＮＢ１０２ｂ）と同時に通信できるようになるので、優れた伝送速度を得ることができる。
【００７１】
［第４の実施形態］
以下、図面を参照して、本発明の第４の実施形態について説明する。本実施形態における無線通信システム１００ｃは、図１における無線通信システム１００と同様に、ＨｅＮＢ１０１ｃ、１０２ｃ、１０３ｃ、ＨｅＮＢ  ＧＷ１０４ｃ、移動局装置１０５ｃを含んで構成される。ＨｅＮＢ１０１ｃ、１０２ｃ、１０３ｃは、図１におけるＨｅＮＢ１０１と同様の構成であるが、論理的な機能構成が一部異なるので、後述する。また、ＨｅＮＢ  ＧＷ１０４ｃは、図１におけるＨｅＮＢ  ＧＷ１０４と同様の構成であるが、論理的な機能構成が一部異なるので、後述する。移動局装置１０５ｃは、図１における移動局装置１０５と同様の構成であるが、論理的な機能構成が一部異なるので、後述する。
【００７２】
図１７は、移動局装置１０５ｃの論理的な機能構成の一部を示す概略ブロック図である。同図において、要否判定部２１０、セルサーチ部２１１ｃ、ＣＡ要求部２１２、接続処理部２１３、周辺セル情報取得部２１６ｃは、制御部２０３が、メモリ部２０４が記憶するプログラムを読みだして実行することにより実現される。また、同図において、図３の各部に対応する部分には同一の符号（２００、２０１、２１０、２１２、２１３）を付け、その説明を省略する。なお、下記において、ＨｅＮＢ１０１ｃとの通信は、送受信部２００を介して行い、ＨｅＮＢ１０２ｃとの通信は、送受信部２０１を介して行う。
【００７３】
周辺セル情報取得部２１６ｃは、要否判定部２１０がキャリアアグリゲーション要と判定したときに、自移動局装置が通信中の基地局装置（ここでは、ＨｅＮＢ１０１ｃ）に対して、キャリアアグリゲーション用の周辺セル情報を要求する。周辺セル情報取得部２１６ｃは、この要求の応答として、ＨｅＮＢ１０１ｃが送信した周辺セル情報を受信すると、受信した周辺セル情報をセルサーチ部２１１ｃに入力する。なお、このキャリアアグリゲーション用の周辺セル情報は、ＨｅＮＢ１０１ｃの周辺セルであって、ＨｅＮＢ１０１ｃとともにキャリアアグリゲーションすることができる基地局装置に関する情報（セルＩＤ、周波数など）からなる。
【００７４】
セルサーチ部２１１ｃは、周辺セル情報取得部２１６ｃが取得した周辺セル情報に含まれる基地局装置を対象として、通信可能な基地局装置を探索する。なお、周辺セル情報取得部２１６ｃが取得するキャリアアグリゲーション用の周辺セル情報は、セルＩＤなど基地局装置を指定する情報のみを含むようにしてもよい。その場合、基地局装置の探索に必要な、その他の情報（周波数など）は、ＨｅＮＢ１０１ｃが報知情報などに含めて送信しているものを利用する。
【００７５】
図１８は、ＨｅＮＢ１０１ｃの論理的な機能構成の一部を示す概略ブロック図である。ＨｅＮＢ１０２ｃ、１０３ｃの構成は、ＨｅＮＢ１０１ｃと同様であるので、説明を省略する。同図において、ＣＡ要求処理部３１０、ＣＡ接続処理部３１１、周辺セル情報取得部３１２ｃは、制御部３０２が、メモリ部３０３が記憶するプログラムを読みだして実行することにより実現される。また、同図において、図５の各部に対応する部分には同一の符号（３１０、３１１）を付け、その説明を省略する。周辺セル情報取得部３１２ｃは、キャリアアグリゲーション用の周辺セル情報の要求を、移動局装置から受信すると、その要求をＨｅＮＢ  ＧＷ１０４ｃに送信する。そして、周辺セル情報取得部３１２ｃは、該要求の応答として、ＨｅＮＢ  ＧＷ１０４ｃから受信した周辺セル情報を、要求元の移動局装置に送信する。
【００７６】
図１９は、ＨｅＮＢ  ＧＷ１０４ｃの論理的な機能構成の一部を示す概略ブロック図である。同図において、同期部４１０、制御信号中継部４１１、データ中継部４１２、ＨｅＮＢ記憶部４１３ｃ、周辺セル情報取得部４１４ｃは、制御部４００が、メモリ部４０１が記憶するプログラムを読みだして実行することにより実現される。また、同図において、図７の各部に対応する部分には同一の符号（４１０〜４１２）を付け、その説明を省略する。
【００７７】
ＨｅＮＢ記憶部４１３ｃは、ＨｅＮＢ  ＧＷ１０４と同様に、当該ＨｅＮＢ  ＧＷ１０４ｃの管理下にあるＨｅＮＢの識別情報と、該ＨｅＮＢと接続中の移動局装置の識別情報とを対応付けて記憶する。さらに、ＨｅＮＢ記憶部４１３ｃは、当該ＨｅＮＢ  ＧＷ１０４ｃの管理下にあるＨｅＮＢの各々について、該ＨｅＮＢがキャリアアグリゲーションする機能を有しているか否かを示す情報と、いずれのＨｅＮＢの周辺セルであるかを示す情報も記憶する。周辺セル情報取得部４１４ｃは、基地局装置（ここでは、ＨｅＮＢ１０１ｃ）からキャリアアグリゲーション要の周辺セル情報の要求を受信すると、要求元の基地局装置の周辺セルであるＨｅＮＢのうち、キャリアアグリゲーションする機能を有しているものの識別情報を、ＨｅＮＢ記憶部４１３ｃから読み出す。周辺セル情報取得部４１４ｃは、読み出した識別情報のリストを、キャリアアグリゲーション要の周辺セル情報の要求に対する応答として、要求元の基地局装置（ここでは、ＨｅＮＢ１０１ｃ）に送信する。
【００７８】
図２０は、本実施形態における移動局装置１０５ｃの動作を説明するフローチャートである。移動局装置１０５ｃは、図２０のフローチャートに示す処理を定期的に行う。図２０に示すフローチャートは、図８のフローチャートとは、ステップＳ２とステップＳ３との間にステップＳ２−１およびＳ２−２を有する点のみが異なる。その他のステップＳ１〜Ｓ７は、図８と同一であるので、説明を省略する。ステップＳ２にてキャリアアグリゲーション要と判定されると、周辺セル情報取得部２１６ｃは、自移動局装置１０５ｃと通信中の基地局装置（ここでは、ＨｅＮＢ１０１ｃ）に対して、キャリアアグリゲーション用の周辺セル情報を要求する（Ｓ２−１）。周辺セル情報取得部２１６ｃは、該要求の応答として、ＨｅＮＢ１０１ｃから周辺セル情報を受信する。これにより、周辺セル情報取得部２１６ｃは、ＨｅＮＢ１０１ｃから周辺セル情報を取得する（Ｓ２−２）。周辺セル情報取得部２１６ｃは、取得した周辺セル情報を、セルサーチ部２１１ｃに入力する。
【００７９】
図２１は、本実施形態における無線通信システム１００ｃの動作を説明するシーケンス図である。同図において、図９の各部に対応する部分には同一の符号（Ｓａ１〜Ｓａ４）を付け、その説明を省略する。図２１に示すシーケンスは、図９とは、シーケンスＳａ２とＳａ３との間に、シーケンスＳｄ２−１〜Ｓｄ２−４が挿入されている点が異なる。シーケンスＳｄ２−１では、移動局装置１０５ｃの周辺セル情報取得部２１６ｃが、自移動局装置が通信中のＨｅＮＢ１０１ｃに対して、キャリアアグリゲーション用の周辺セル情報を要求する。次に、シーケンスＳｄ２−２では、ＨｅＮＢ１０１ｃの周辺セル情報取得部３１２ｃが、シーケンスＳｄ２−１の要求を、移動局装置から受信すると、その要求をＨｅＮＢ  ＧＷ１０４ｃに送信する。次に、シーケンスＳｄ２−３では、ＨｅＮＢ  ＧＷ１０４ｃの周辺セル情報取得部４１４ｃが、シーケンスＳｄ２−２の要求を受信すると、要求元のＨｅＮＢ１０１ｃの周辺セルであるＨｅＮＢのうち、キャリアアグリゲーションする機能を有しているものの識別情報を、ＨｅＮＢ記憶部４１３ｃから読み出す。周辺セル情報取得部４１４ｃは、読み出した識別情報のリストを、シーケンスＳｄ２−２の要求に対する応答として、要求元のＨｅＮＢ１０１ｃに送信する。次に、シーケンスＳｄ２−４では、ＨｅＮＢ１０１ｃの周辺セル情報取得部３１２ｃが、シーケンスＳｄ２−３の応答を受信すると、この応答を、シーケンスＳｄ２−１の要求の応答として、要求元である移動局装置１０５ｃに送信する。
【００８０】
このように、ＨｅＮＢ１０１ｃが提供するコンポーネントキャリアが一つだけであっても、移動局装置１０５ｃが、ＨｅＮＢ１０１ｃおよび他の基地局装置（ここでは、ＨｅＮＢ１０２ｃ）と同時に通信できるようになるので、優れた伝送速度を得ることができる。さらに、移動局装置１０５ｃにおける周辺セルの測定は、ＨｅＮＢ１０１ｃを介して、ＨｅＮＢ  ＧＷ１０４ｃから取得したキャリアアグリゲーションする機能を有しているセルを示す情報に参照して行われるので、周辺セル測定の際の処理量を削減することができる。
【００８１】
［第５の実施形態］
以下、図面を参照して、本発明の第５の実施形態について説明する。本実施形態における無線通信システム１００ｄは、図１における無線通信システム１００と同様に、ＨｅＮＢ１０１ｄ、１０２ｄ、１０３ｄ、ＨｅＮＢ  ＧＷ１０４ｃ、移動局装置１０５ｄを含んで構成される。ＨｅＮＢ１０１ｄ、１０２ｄ、１０３ｄは、図１におけるＨｅＮＢ１０１と同様の構成であるが、論理的な機能構成が一部異なるので、後述する。また、ＨｅＮＢ  ＧＷ１０４ｃは、図１９におけるＨｅＮＢ  ＧＷ１０４ｃと同様の構成である。移動局装置１０５ｄは、図１における移動局装置１０５と同様の構成であるが、論理的な機能構成が一部異なるので、後述する。
【００８２】
図２２は、移動局装置１０５ｄの論理的な機能構成の一部を示す概略ブロック図である。同図において、要否判定部２１０、セルサーチ部２１１ｃ、ＣＡ要求部２１２、接続処理部２１３ｂ、周辺セル情報取得部２１６ｃは、制御部２０３が、メモリ部２０４が記憶するプログラムを読みだして実行することにより実現される。また、同図において、図３、図１４、図１７の各部に対応する部分には同一の符号（２００、２０１、２１０、２１１ｃ、２１２、２１３、２１３ｂ）を付け、その説明を省略する。図２２に示すように、移動局装置１０５ｄは、図３の移動局装置１０５に、図１４の移動局装置１０５ｂと同様の変更と、図１７の移動局装置１０５ｃと同様の変更とを加えたものである。
【００８３】
図２３は、ＨｅＮＢ１０１ｄの論理的な機能構成の一部を示す概略ブロック図である。ＨｅＮＢ１０２ｄ、１０３ｄの構成は、ＨｅＮＢ１０１ｄと同様であるので、説明を省略する。同図において、ＣＡ要求処理部３１０、ＣＡ接続処理部３１１ｂ、周辺セル情報取得部３１２ｃは、制御部３０２が、メモリ部３０３が記憶するプログラムを読みだして実行することにより実現される。また、同図において、図５、図１５、図１８の各部に対応する部分には同一の符号（３０１、３０４、３１０、３１１ｂ、３１２ｃ）を付け、その説明を省略する。図２３に示すように、ＨｅＮＢ１０１ｄは、図５のＨｅＮＢ１０１に、図１５のＨｅＮＢ１０１ｂと同様の変更と、図１８のＨｅＮＢ１０１ｃと同様の変更とを加えたものである。
【００８４】
このように、本実施形態は、第３の実施形態に、第４の実施形態を適用したものである。よって、第３の実施形態および第４の実施形態と同様に優れた伝送速度を得ることができる。さらに、周辺セル測定の際の処理量を削減することができる。
【００８５】
［第６の実施形態］
以下、図面を参照して、本発明の第６の実施形態について説明する。本実施形態における無線通信システム１００ｅは、図１における無線通信システム１００と同様に、ＨｅＮＢ１０１、１０２、１０３、ＨｅＮＢ  ＧＷ１０４、移動局装置１０５ｅを含んで構成される。ＨｅＮＢ１０１、１０２、１０３、ＨｅＮＢ  ＧＷ１０４は、図１におけるＨｅＮＢ１０１、１０２、１０３、ＨｅＮＢ  ＧＷ１０４と同様であるので、説明を省略する。また、移動局装置１０５ｅは、図１における移動局装置１０５と構成が一部異なるので、後述する。
【００８６】
図２４は、移動局装置１０５ｅの構成を示す概略ブロック図である。移動局装置１０５ｅは、送受信部２００ｅ、制御部２０３、メモリ部２０４、ユーザインタフェース２０５、２つの送受信アンテナ２０６、２０７を含んで構成される。また、同図において、図２の各部に対応する部分には同一の符号（２０３〜２０６）を付け、その説明を省略する。送受信部２００ｅは、同周波帯域内にある複数のコンポーネントキャリアを同時に用いて通信できる点が、図２の送受信部２００とは異なる。
【００８７】
図２５は、移動局装置１０５ｅの論理的な機能構成の一部を示す概略ブロック図である。同図において、要否判定部２１０、セルサーチ部２１１、ＣＡ要求部２１２、接続処理部２１３は、制御部２０３が、メモリ部２０４が記憶するプログラムを読みだして実行することにより実現される。また、同図において、図３の各部に対応する部分には同一の符号（２１０〜２１３）を付け、その説明を省略する。図２５に示すように、本実施形態では、要否判定部２１０と、ＣＡ要求部２１２だけでなく、セルサーチ部２１１と接続処理部２１３も、送受信部２００ｅを介して通信する点が、第１の実施形態とは異なる。
【００８８】
図２６は、周波数帯の使用状態の変化例を説明する図である。キャリアアグリゲーションを行っていないときである符号ＳＴ１ｅの例では、移動局装置１０５ｅと、ＨｅＮＢ１０１とは、周波数帯Ｆ１を用いて通信をする。ＨｅＮＢ１０２は、周波数帯Ｆ２を用いていることができるが、移動局装置１０５ｅとは通信していない。一方、キャリアアグリゲーションを行っているときである符号ＳＴ２ｅの例では、移動局装置１０５ｅと、ＨｅＮＢ１０１とは、周波数帯Ｆ１を用いて通信し、移動局装置１０５ｅと、ＨｅＮＢ１０２とは、周波数帯Ｆ１に隣接する周波数帯Ｆ２ｅを用いて通信している。
なお、本実施形態では、周波数帯Ｆ１と周波数帯Ｆ２ｅとは隣接しているが、これらの周波数帯が、送受信部２００ｅが利用可能な周波帯域内にあればよく、必ずしも隣接していなくてもよい。
【００８９】
このように、ＨｅＮＢ１０１が提供するコンポーネントキャリアが一つだけであり、移動局装置１０５ｅが備える送受信部２００ｅが一つのみであっても、移動局装置１０５ｅが、ＨｅＮＢ１０１および他の基地局装置（ここでは、ＨｅＮＢ１０２）と同時に通信できるようになるので、優れた伝送速度を得ることができる。
【００９０】
［第７の実施形態］
以下、図面を参照して、本発明の第７の実施形態について説明する。本実施形態における無線通信システム１００ｆは、図１における無線通信システム１００と同様に、ＨｅＮＢ１０１、１０２、１０３、ＨｅＮＢ  ＧＷ１０４、移動局装置１０５ｆを含んで構成される。ＨｅＮＢ１０１、１０２、１０３、ＨｅＮＢ  ＧＷ１０４は、図１におけるＨｅＮＢ１０１、１０２、１０３、ＨｅＮＢ  ＧＷ１０４と同様であるので、説明を省略する。また、移動局装置１０５ｆは、図１における移動局装置１０５と構成が一部異なるので、後述する。
【００９１】
図２７は、移動局装置１０５ｆの構成を示す概略ブロック図である。移動局装置１０５ｆは、３つの送受信部２００、２０１、２０８ｆ、制御部２０３、メモリ部２０４、ユーザインタフェース２０５、３つの送受信アンテナ２０６、２０７、２０９ｆを含んで構成される。このように、送受信部および送受信アンテナをそれぞれ３つ有する点が、図２の移動局装置１０５とは異なる。
【００９２】
図２８は、移動局装置１０５ｆの構成を示す概略ブロック図である。移動局装置１０５ｆの論理的な機能構成の一部を示す概略ブロック図である。同図において、要否判定部２１０、セルサーチ部２１１、ＣＡ要求部２１２、接続処理部２１３は、制御部２０３が、メモリ部２０４が記憶するプログラムを読みだして実行することにより実現される。また、同図において、図３の各部に対応する部分には同一の符号（２１０〜２１３）を付け、その説明を省略する。図２８に示すように、本実施形態では、要否判定部２１０が送受信部２００、２０１と接続されており、これらの通信状態を参照するように構成されている点が異なる。また、セルサーチ部２１１が送受信部２０１、２０８ｆと接続されており、これらのいずれかを用いて周辺セル測定を行うように構成されている点が異なる。また、接続処理部２１３は、送受信部２０１、２０８ｆと接続されており、これらのいずれかを介して接続処理を行うように構成されている点が異なる。
【００９３】
図２９は、無線通信システム１００ｆの動作を説明するシーケンス図である。同図において、図９の各部に対応する部分には同一の符号（Ｓａ２、Ｓａ３、Ｓａ８、Ｓａ１０、Ｓａ１１）を付け、その説明を省略する。また、図２９のシーケンスは、図９のＳａ１、Ｓａ４〜７、Ｓａ９、Ｓａ１２〜Ｓａ１５に変えて、Ｓｆ１、Ｓｆ４〜７、Ｓｆ９、Ｓｆ１２〜Ｓｆ１５を有する点が異なる。シーケンス開始時であるシーケンスＳｆ１では、移動局装置１０５ｆは、キャリアアグリゲーションにより、ＨｅＮＢ１０１、１０２と通信中である。シーケンスＳｆ４では、移動局装置１０５ｆのＣＡ要求部２１２は、ＨｅＮＢ１０３を識別する情報を含むキャリアアグリゲーションの要求（ＣＡ要求）を、ＨｅＮＢ１０１に送信する。
【００９４】
シーケンスＳｆ５では、ＨｅＮＢ１０１のＣＡ要求処理部３１０は、このキャリアアグリゲーションの要求を受信すると、該要求に含まれる情報が示すＨｅＮＢ１０３に対するキャリアアグリゲーションの要求を、ＨｅＮＢ  ＧＷ１０４に送信する。シーケンスＳｆ６では、ＨｅＮＢ  ＧＷ１０４の制御信号中継部４１１は、このキャリアアグリゲーションの要求を受信すると、これをＨｅＮＢ１０３に転送する。シーケンスＳｆ７では、ＨｅＮＢ１０３のＣＡ接続処理部３１１は、このキャリアアグリゲーションの要求を受信すると、ＨｅＮＢ  ＧＷ１０２に返す。また、シーケンスＳｆ９では、ＨｅＮＢ１０３のＣＡ接続処理部３１１は、該要求に含まれる情報が識別する移動局装置１０５ｆと接続するための準備をし、移動局装置１０５ｆからの接続要求待ちとなる。
【００９５】
シーケンスＳｆ１２では、移動局装置１０５ｆの接続処理部２１３は、ＳＣＣとしてＨｅＮＢ１０３を追加するために、ＨｅＮＢ１０３に対して、キャリアアグリゲーション接続要求（ＣＡ接続要求）を送信する。このとき、接続処理部２１３は、送受信部２０８ｆを介して、キャリアアグリゲーション接続要求を送信する。シーケンスＳｆ１３では、移動局装置１０５ｆからの接続要求待ちとなっていたＨｅＮＢ１０３のＣＡ接続処理部３１１は、このキャリアアグリゲーション接続要求を受信すると、その応答（ＡＣＫ）を、移動局装置１０５ｆに返す。これにより、移動局装置１０５ｆは、ＨｅＮＢ１０３と接続した状態になり（Ｓｆ１４）、ＨｅＮＢ１０１、ＨｅＮＢ１０２およびＨｅＮＢ１０３と通信する（Ｓｆ１５）。なお、このとき、ＨｅＮＢ１０１はＰＣＣとして、ＨｅＮＢ１０２、ＨｅＮＢ１０３はＳＣＣとして、移動局装置１０５ｆと接続している。
【００９６】
図３０は、無線通信システム１００ｆの別の動作を説明するシーケンス図である。図２９では、移動局装置１０５ｆは、ＨｅＮＢ１０１、１０２と通信中のときに、さらにＨｅＮＢ１０３を通信相手として追加する場合を示した。図３０では、移動局装置１０５ｆは、ＨｅＮＢ１０１と通信中のときに、複数のＨｅＮＢ（ここでは、ＨｅＮＢ１０２、１０３）を通信相手として一度に追加する場合を示す。同図において、図９、図２９の各部に対応する部分には同一の符号（Ｓａ1〜Ｓａ３、Ｓａ６〜Ｓａ１４、Ｓｆ６、Ｓｆ７、Ｓｆ９、Ｓｆ１２〜Ｓｆ１５）を付け、その説明を省略する。
【００９７】
図３０のシーケンスでは、図９とは、シーケンスＳａ４、Ｓａ５にかえてＳｇ４、Ｓｇ５を有する点と、シーケンスＳａ７、Ｓａ８の間に、シーケンスＳｆ６、Ｓｆ７を有する点、シーケンスＳａ９と並行してシーケンスＳｆ９を有する点、シーケンスＳａ１４の後にシーケンスＳｆ１２〜Ｓｆ１５を有する点、シーケンスＳａ１５を有さない点が異なる。シーケンスＳｇ４では、移動局装置１０５ｆのＣＡ要求部２１２は、ＨｅＮＢ１０２、１０３を識別する情報を含むキャリアアグリゲーションの要求（ＣＡ要求）を、ＨｅＮＢ１０１に送信する。シーケンスＳｇ５では、ＨｅＮＢ１０１のＣＡ要求処理部３１０は、このキャリアアグリゲーションの要求を受信すると、該要求に含まれる情報が示すＨｅＮＢ１０２、１０３に対するキャリアアグリゲーションの要求を、ＨｅＮＢ  ＧＷ１０４に送信する。
【００９８】
このように、ＨｅＮＢ１０１が提供するコンポーネントキャリアが一つだけであっても、移動局装置１０５ｆが、ＨｅＮＢ１０１および複数の他の基地局装置（ここでは、ＨｅＮＢ１０２、１０３）と同時に通信できるようになるので、優れた伝送速度を得ることができる。
【００９９】
また、各実施形態における移動局装置、基地局装置、基地局管理装置の全機能または一部機能を実現するためのプログラムをコンピュータ読み取り可能な記録媒体に記録して、この記録媒体に記録されたプログラムをコンピュータシステムに読み込ませ、実行することにより、各実施形態における移動局装置、基地局装置、基地局管理装置を実現するようにしてもよい。なお、ここでいう「コンピュータシステム」とは、ＯＳや周辺機器等のハードウェアを含むものとする。
【０１００】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０１】
以上、この発明の実施形態を図面を参照して詳述してきたが、具体的な構成はこの実施形態に限られるものではなく、この発明の要旨を逸脱しない範囲の設計変更等も含まれる。
【符号の説明】
【０１０２】
１００…無線通信システム
１０１、１０２、１０３…ＨｅＮＢ
１０４…ＨｅＮＢ  ＧＷ
１０５…移動局装置
１０６…ネットワーク
２００、２０１…送受信部
２０３…制御部
２０４…メモリ部
２０５…ユーザインタフェース
２０６、２０７…送受信アンテナ
２１０…要否判定部
２１１…セルサーチ部
２１２…ＣＡ要求部
２１３…接続処理部
３００…送受信アンテナ
３０１…送受信部
３０２…制御部
３０３…メモリ部
３０４…通信部
３１０…ＣＡ要求処理部
３１１…ＣＡ接続処理部
４００…制御部
４０１…メモリ部
４０２…通信部
４１０…同期部
４１１…制御信号中継部
４１２…データ中継部
【図１】
2014013998.tif 000003
【図２】
2014013998.tif 000004
【図３】
2014013998.tif 000005
【図４】
2014013998.tif 000006
【図５】
2014013998.tif 000007
【図６】
2014013998.tif 000008
【図７】
2014013998.tif 000009
【図８】
2014013998.tif 000010
【図９】
2014013998.tif 000011
【図１０】
2014013998.tif 000012
【図１１】
2014013998.tif 000013
【図１２】
2014013998.tif 000014
【図１３】
2014013998.tif 000015
【図１４】
2014013998.tif 000016
【図１５】
2014013998.tif 000017
【図１６】
2014013998.tif 000018
【図１７】
2014013998.tif 000019
【図１８】
2014013998.tif 000020
【図１９】
2014013998.tif 000021
【図２０】
2014013998.tif 000022
【図２１】
2014013998.tif 000023
【図２２】
2014013998.tif 000024
【図２３】
2014013998.tif 000025
【図２４】
2014013998.tif 000026
【図２５】
2014013998.tif 000027
【図２６】
2014013998.tif 000028
【図２７】
2014013998.tif 000029
【図２８】
2014013998.tif 000030
【図２９】
2014013998.tif 000031
【図３０】
2014013998.tif 000032